(57)【要約】【課題】光源から放射される光が操作ノブを全面照射すると共に操作ノブ外側に光を漏洩することのない揺動式多方向スイッチを提供するものである。【解決手段】操作ノブ１と、枠状に形成されたホルダ２と、光源５が搭載される基板６と、操作ノブ１およびホルダ２を収容保持すると共に下端開口に基板６を取り付けて閉塞されるケース３より成り、ホルダ２はケース３に一方の軸方向に関して回動保持されと共に、操作ノブ１はホルダ２に一方の軸方向と直交する他方の軸方向に関して回動保持され、ホルダ２とケース３の協働により形成された溝部３０に操作ノブの周側壁１１を配置した揺動式多方向スイッチ。【選択図】　図１
2004063317.tif 000002
【特許請求の範囲】
【請求項１】
操作ノブと、枠状に形成されたホルダと、光源が搭載される基板と、操作ノブおよびホルダを収容保持すると共に下端開口に基板を取り付けて閉塞されるケースより成り、
ホルダはケースに一方の軸方向に関して回動保持されと共に、操作ノブはホルダに一方の軸方向と直交する他方の軸方向に関して回動保持され、ホルダとケースの協働により形成された溝部に操作ノブの周側壁を配置したことを特徴とする揺動式多方向スイッチ。
【請求項２】
請求項１に記載される揺動式多方向スイッチにおいて、
操作ノブは周側壁を頂壁により閉塞し、周側壁下端を解放した方形箱型に構成され、対向する周側壁の一方の組のそれぞれにはその下端中間部に一方の軸方向に整列して押圧突起が下向きに延伸形成され、対向する周側壁の他方の組のそれぞれにはその中間部に一方の軸方向と直交する他方の軸方向に整列してホルダ軸孔が貫通形成されており、
ホルダは、対向する枠部の一方の組のそれぞれの中間部に先の一方の軸方向に整列してケース軸孔が貫通形成され、対向する枠部の他方の組のそれぞれの中間部外側には先の他方の軸方向に整列してホルダ軸が突出形成されており、この対向する枠部の他方の組のそれぞれの下端中間部には先の他方の軸方向に整列して押圧突起が下向きに延伸形成されており、
ケースは、下端内側周縁に結合フランジを形成した外周側壁と、外周側壁と共通の軸心を有して外周側壁に結合フランジを介して結合する内周側壁より成り、外周側壁と内周側壁との間に溝部が形成され、内周側壁の対向する周側壁部の一方の組のそれぞれの中間部外側には一方の軸方向に整列してケース軸が突出形成され、結合フランジにはその対向するフランジ部の組のそれぞれの中間部に一方および他方の軸方向に整列して押圧突起挿通孔が貫通形成され、
基板はその対向する周辺部の一方の組の中間部上面に一方の軸方向に整列して第１のスイッチと第３のスイッチが位置決め固定されており、対向する周辺部の他方の組の中間部上面に他方の軸方向に整列して第２のスイッチと第４のスイッチが位置決め固定されており、基板の上面中心部には光源が位置決め固定されていることを特徴とする揺動式多方向スイッチ。
【請求項３】
請求項２に記載される揺動式多方向スイッチにおいて、
ホルダおよびケースは共に光不透過性に構成されていることを特徴とする揺動式多方向スイッチ。
【発明の詳細な説明】
【０００１】
【発明の属する技術分野】
この発明は、揺動式多方向スイッチに関し、特に、光源から放射される光が操作ノブを全面照射すると共に操作ノブ外側に光を漏洩することのない揺動式多方向スイッチに関する。
【０００２】
【従来の技術】
操作ノブを任意の向きに押圧操作して揺動装置を揺動させ、この向きに対応して位置決め固定されているスイッチをこの揺動によりオンオフ制御する、ポインティングデバイスとして使用することができる揺動式多方向スイッチが開発、実用に供されている（特開平８−２６４０７４号公報、特開平８−３２９７８９号公報、特開平１０−５０１７８号公報　参照）。
この種の揺動式多方向スイッチは、一般に、揺動装置の下側に光源を配置して操作ノブに対して下から光を照射して操作ノブを照射する構成を具備している。
【０００３】
【発明が解決しようとする課題】
以上の揺動式多方向スイッチは、光源から放射される光が揺動装置の一部の構成に遮られ、操作ノブ全体に充分には到達しない問題を生起する。そして、揺動装置の下側に配置される光源から放射される光が操作ノブの周囲から漏洩して揺動式多方向スイッチ全体の外観を損ねる問題も生起する。
この発明は、揺動式多方向スイッチにおいて、揺動装置を操作ノブの外周に直結し或いは操作ノブの周辺に配置することにより、操作ノブの中心部近傍に大きな開口部を形成して操作ノブを全面照射し、この操作ノブの内側で光源から放射される光を包囲することにより、光源から放射される光が操作ノブを全面照射すると共に操作ノブ外側に光を漏洩することのない上述の問題を解消した揺動式多方向スイッチを提供するものである。
【０００４】
【課題を解決するための手段】
請求項１：操作ノブ１と、枠状に形成されたホルダ２と、光源５が搭載される基板６と、操作ノブ１およびホルダ２を収容保持すると共に下端開口に基板６を取り付けて閉塞されるケース３より成り、ホルダ２はケース３に一方の軸方向に関して回動保持されと共に、操作ノブ１はホルダ２に一方の軸方向と直交する他方の軸方向に関して回動保持され、ホルダ２とケース３の協働により形成された溝部３０に操作ノブの周側壁１１を配置した揺動式多方向スイッチを構成した。そして、請求項２：請求項１に記載される揺動式多方向スイッチにおいて、操作ノブ１は周側壁１１を頂壁１２により閉塞し、周側壁１１下端を解放した方形箱型に構成され、対向する周側壁１１の一方の組のそれぞれにはその下端中間部に一方の軸方向に整列して押圧突起１１１が下向きに延伸形成され、対向する周側壁１１の他方の組のそれぞれにはその中間部に一方の軸方向と直交する他方の軸方向に整列してホルダ軸孔１１２が貫通形成されており、ホルダ２は、対向する枠部の一方の組のそれぞれの中間部に先の一方の軸方向に整列してケース軸孔２１が貫通形成され、対向する枠部の他方の組のそれぞれの中間部外側には先の他方の軸方向に整列してホルダ軸２２が突出形成されており、この対向する枠部の他方の組のそれぞれの下端中間部には先の他方の軸方向に整列して押圧突起２３が下向きに延伸形成されており、ケース３は、下端内側周縁に結合フランジ３１２を形成した外周側壁３１と、外周側壁３１と共通の軸心を有して外周側壁３１に結合フランジ３１２を介して結合する内周側壁３２とより成り、外周側壁３１と内周側壁３２との間に溝部３０が形成され、内周側壁３２の対向する周側壁部の一方の組のそれぞれの中間部外側には一方の軸方向に整列してケース軸３３が突出形成され、結合フランジ３１２にはその対向するフランジ部の組のそれぞれの中間部に一方および他方の軸方向に整列して押圧突起挿通孔３４が貫通形成され、基板６はその対向する周辺部の一方の組の中間部上面に一方の軸方向に整列して第１のスイッチ４１と第３のスイッチ４３が位置決め固定されており、対向する周辺部の他方の組の中間部上面に他方の軸方向に整列して第２のスイッチ４２と第４のスイッチ４４が位置決め固定されており、基板６の上面中心部には光源５が位置決め固定されている揺動式多方向スイッチを構成した。
また、請求項３：請求項２に記載される揺動式多方向スイッチにおいて、ホルダ２およびケース３は共に光不透過性に構成されている揺動式多方向スイッチを構成した。
【０００５】
【発明の実施の形態】
この発明の実施の形態を図１ないし図４の実施例を参照して説明する。図１は揺動式多方向スイッチの構成部品の分解斜視図であり、図２は構成部品を組み立てたところを示す一部断面斜視図である。図３は揺動式多方向スイッチのケース軸の中心を通る縦方向断面図であり、図４は図３の一部の詳細を示す図である。
【０００６】
１は方形箱型の操作ノブ、２は方形枠型のホルダ、３は方形箱型のケース、４１ないし４４は第１ないし第４のスイッチ、５は光源、６は方形の基板を示す。操作ノブ１は周側壁１１を頂壁１２により閉塞し、周側壁１１下端を解放した方形箱型に構成されている。対向する周側壁１１の一方の組のそれぞれにはその下端中間部に一方の軸方向に整列して押圧突起１１１が下向きに延伸形成されている。対向する周側壁１１の他方の組のそれぞれにはその中間部に一方の軸方向と直交する他方の軸方向に整列してホルダ軸孔１１２が貫通形成されている。ここで、操作ノブ１は光透過性に構成されている。
【０００７】
ホルダ２は、対向する枠部の一方の組のそれぞれの中間部に先の一方の軸方向に整列してケース軸孔２１が貫通形成されている。対向する枠部の他方の組のそれぞれの中間部外側には先の他方の軸方向に整列してホルダ軸２２が突出形成されている。この対向する枠部の他方の組のそれぞれの下端中間部には先の他方の軸方向に整列して押圧突起２３が下向きに延伸形成されている。ここで、ホルダ２は操作ノブ１の内側に極く僅かの間隙を有して収容される形状寸法に設定されている。ここで、ホルダ２は光不透過性に構成されている。
【０００８】
ケース３は、その上端外側周縁に鍔部３１１を形成すると共に下端内側周縁に結合フランジ３１２を形成した外周側壁３１と、外周側壁３１と共通の軸心を有して外周側壁３１に結合フランジ３１２を介して結合する内周側壁３２とより成る。外周側壁３１と内周側壁３２との間には溝部３０が形成されている。そして、内周側壁３２の対向する周側壁部の一方の組のそれぞれの中間部外側には一方の軸方向に整列してケース軸３３が突出形成されている。また、結合フランジ３１２には、その対向するフランジ部の組のそれぞれの中間部に一方および他方の軸方向に整列して押圧突起挿通孔３４が貫通形成されている。ここで、ケース３の外周側壁３１はその内側に極く僅かの間隙を有して操作ノブ１を収容する形状寸法に設定されている。ここで、ケース３は光不透過性に構成されている。
【０００９】
基板６は、その対向する周辺部の一方の組の中間部上面に一方の軸方向に整列して第１のスイッチ４１と第３のスイッチ４３が位置決め固定されており、対向する周辺部の他方の組の中間部上面に他方の軸方向に整列して第２のスイッチ４２と第４のスイッチ４４が位置決め固定されている。そして、基板６の上面中心部には光源５が位置決め固定されている。
【００１０】
ここで、揺動式多方向スイッチの組み立ての仕方を説明する。
▲１▼　ホルダ軸２２をホルダ軸孔１１２に嵌合せしめてから、ホルダ２を操作ノブ１に対して、操作ノブ１がホルダ２を覆った状態に相互組み合わせ結合する。
▲２▼　相互に組み合わせ結合された操作ノブ１およびホルダ２を、ホルダ２のケース軸孔２１をケース軸３３に対応させた状態で、ケース３の外周側壁３１と内周側壁３２との間に形成される溝部３０に挿入し、ケース軸３３をホルダ２のケース軸孔２１に嵌合せしめる。ここで、操作ノブ１の押圧突起１１１およびホルダ２の押圧突起２３は、結合フランジ３１２に形成される対応する押圧突起挿通孔３４を貫通して下に突出する。
▲３▼　相互に組み合わせ結合された操作ノブ１、ホルダ２およびケース３に対して、第１のスイッチ４１、第２のスイッチ４２、第３のスイッチ４３、第４のスイッチ４４および光源５が表面に固定された基板６を、基板６の表面を上にしてケース３の外周側壁３１の下端に係合した状態でネジ７１をネジ挿通孔６１に挿通し、ケース３に対してネジ止めする。
【００１１】
以上の通りにして組み立てられた揺動式多方向スイッチは、結局、相互に組み合わせ結合された操作ノブ１およびホルダ２を、ケース軸３３をホルダ２のケース軸孔２１に嵌合せしめることにより揺動装置が構成されたことになる。
ここで、操作ノブ１の内の押圧突起１１１に対応するところを下向きに押圧操作すると、ホルダ軸２２、２２’を回動軸として操作ノブ１が回動し、突起に対応する第１のスイッチ４１が駆動動作せしめられる。操作ノブ１の内のホルダ２の押圧突起２３に対応するところを下向きに押圧操作すると、ケース軸３３、３３’を回動軸として操作ノブ１とホルダ２が共に回動し、この突起に対応する第２のスイッチ４２が駆動動作せしめられる。操作ノブ１の内の他方の押圧突起１１１’に対応するところを下向きに押圧操作すると、ホルダ軸２２、２２’を回動軸として操作ノブ１が回動し、この突起に対応する第３のスイッチ４３が駆動動作せしめられる。そして、操作ノブ１の内のホルダ２の他方の押圧突起２３’に対応するところを下向きに押圧操作すると、ケース軸３３、３３’を回動軸として操作ノブ１とホルダ２が共に回動し、この突起に対応する第４のスイッチ４４が駆動動作せしめられる。
【００１２】
第１のスイッチ４１ないし第４のスイッチ４４が駆動動作せしめらたことにより、これらのスイッチに対応する方向が指示されたことになる。
以上の通りにして組み立てられた揺動式多方向スイッチは、操作ノブ１がホルダ２を覆い、操作ノブ１の周側壁１１およびホルダ２の枠部が重なった状態でケース３の外周側壁３１と内周側壁３２との間に形成される溝部３０に挿入された状態にあり、操作ノブ１は、外周縁部の下側に全周に亘ってホルダ２の上端部が接近して存在することを除いて、その下側の大部分はホルダ２の開口に対応して解放状態にあり、即ち、操作ノブ１の外周縁部以外の大部分の領域と基板６の上面中心部に位置決め固定される光源５との間に光を遮る部材は何も存在しない。従って、基板６の上面中心部に位置決め固定される光源５の光は矢印により示される如くに放射され、ホルダ２の開口に対応して解放している操作ノブ１の大部分の領域に到達してこれを充分に照射するに到る。そして、上述した通り、ホルダ２およびケース３は共に光不透過性に構成されているので、光源５から矢印により示される如くに放射されて内周側壁３２とホルダ２に到達した光はそこで遮光されて揺動式多方向スイッチの外には漏洩しない。
【００１３】
図５および図６を参照するに、これはホルダ２の枠部がケース３の外周側壁３１と内周側壁３２との間に形成される溝部３０に挿入しない構成を採った場合の例を示す。この場合に、光源５から放射された光が直接に揺動式多方向スイッチの外には漏洩することはないが、放射された光の内の一部は基板６、内周側壁３２、ホルダ２において乱反射しながら点線矢印により示される如くに揺動式多方向スイッチの外に漏洩する。
【００１４】
【発明の効果】
以上の通りであって、この発明によれば、操作ノブ１がホルダ２を覆い、操作ノブ１の周側壁１１およびホルダ２の枠部が重なった状態でケース３の外周側壁３１と内周側壁３２との間に形成される溝部３０に挿入された状態にあり、操作ノブ１は、外周縁部の下側に全周に亘ってホルダ２の上端部が接近して存在することを除いて、その下側の大部分はホルダ２の開口に対応して解放状態にあり、即ち、操作ノブ１の外周縁部以外の大部分の領域と基板６の上面中心部に位置決め固定される光源５との間に光を遮る部材は何も存在しない。従って、基板６の上面中心部に位置決め固定される光源５の光は矢印により示される如くに放射され、ホルダ２の開口に対応して解放している操作ノブ１の大部分の領域に到達してこれを充分に照射するに到る。そして、ホルダ２およびケース３は共に光不透過性に構成することにより、光源５から矢印により示される如くに放射されて内周側壁３２とホルダ２に到達した光はそこで遮光されて揺動式多方向スイッチの外には漏洩することはない。
【図面の簡単な説明】
【図１】揺動式多方向スイッチの従来例の構成部品の分解斜視図。
【図２】従来例の一部断面斜視図。
【図３】実施例のケース軸の中心を通る縦方向断面図。
【図４】図３の一部の詳細を示す図。
【図５】ホルダの枠部をケースの外周側壁と内周側壁との間に挿入しない例を示す図。
【図６】ホルダの枠部をケースの外周側壁と内周側壁との間に挿入しない他の例を示す図。
【符号の説明】
１　方形箱型の操作ノブ　　　　　１１　周側壁
１１１、１１１’押圧突起　　　　　１１２、１１２’ホルダ軸孔
１２　頂壁　　　　　　　　　　　　　２　ホルダケース
２１、２１’軸孔　　　　　　　　　２２、２２’ホルダ軸
２３、２３’押圧突起　　　　　　　　　　　３　ケース
３０　溝部　　　　　　　　　　　　３１　外周側壁
３１１　鍔部　　　　　　　　　　　３１２　結合フランジ
３２　内周側壁　　　　　　　３３、３３’ケース軸
３４　押圧突起挿通孔　　　　　　　４１　第１のスイッチ
４２　第２のスイッ　　　　　　　　４３　第３のスイッチ
４４　第４のスイッチ　　　　　　　　５　光源
６　方形の基板　　　　　　　　　６１　ネジ挿通孔
７１　ネジ
【図１】
2004063317.tif 000003
【図２】
2004063317.tif 000004
【図３】
2004063317.tif 000005
【図４】
2004063317.tif 000006
【図５】
2004063317.tif 000007
【図６】
2004063317.tif 000008